(57)【特許請求の範囲】
【請求項１】
複数枚の板材と、直角連結材とを備え、直角連結材が、板材の長手方向端部同士を連結するものであって板材同士を長手方向軸周りに直交させかつ板材の長手方向軸同士を直交させるものであり、長手方向軸周り垂直又は長手方向軸周り水平で左右に延びる板材の少なくとも一端に、直角連結材を挟んで上方又は下方に延びる板材を取り付けてあって、長手方向軸周り垂直な板材が寄り掛かり面になり、長手方向軸周り水平な板材が座面又は荷物置きになることを特徴とする構造体。
【請求項２】
複数枚の板材と、平行連結材とを備え、平行連結材が、板材の長手方向端部同士を連結するものであって板材同士を長手方向軸周りに直交させかつ板材の長手方向軸同士を平行にさせるものであり、長手方向軸周り垂直な板材と、長手方向軸周り水平な板材が、平行連結材を挟んで左右に連設してあって、長手方向軸周り垂直な板材が寄り掛かり面になり、長手方向軸周り水平な板材が座面又は荷物置きになることを特徴とする構造体。
【請求項３】
直角連結材を備え、直角連結材が、板材の長手方向端部同士を連結するものであって板材同士を長手方向軸周りに直交させかつ板材の長手方向軸同士を直交させるものであり、左右に連設した板材の少なくとも一端に、直角連結材を挟んで上方又は下方に延びる板材を取り付けてあることを特徴とする請求項２記載の構造体。
【請求項４】
直角連結材が、両端に板材と接続する接続部を有し、一方の接続部から他方の接続部へ向けて、見付方向面内で屈曲しており、見込方向寸法が拡幅し、見付方向寸法が減幅していることを特徴とする請求項１又は３記載の構造体。
【請求項５】
平行連結材が、両端に板材と接続する接続部を有し、一方の接続部から他方の接続部へ向けて、見込方向寸法が拡幅し、見付方向寸法が減幅していることを特徴とする請求項２又は３記載の構造体。
【発明の詳細な説明】
【技術分野】
【０００１】
本発明は、公共空間の様々な場所に設置して、主に人が寄り掛かって休憩するために使用する構造体に関する。
【背景技術】
【０００２】
公共空間の様々な場所において、広さや通行の障害といった問題点によりベンチやテーブルを設置できない場合に、立ったまま体を寄り掛けて休憩するためのものとして、丸パイプを門形に曲げて立設した構造体がある。これは、パイプの水平部分に腰や臀部を寄り掛けるものである。
【発明の概要】
【発明が解決しようとする課題】
【０００３】
しかしながら、従来のこのような構造体は、使い勝手のよいものではなく、寄り掛けた部位が痛くなることも多かった。また、荷物を載せることはできず、地面に置くしかなかった。さらに、意匠性も良好とはいえなかった。
【０００４】
本発明は、上記事情を鑑みたものであり、休憩用として使い勝手がよく、意匠性も良好な構造体を提供することを目的とする。
【課題を解決するための手段】
【０００５】
本発明のうち請求項１の発明は、複数枚の板材と、直角連結材とを備え、直角連結材が、板材の長手方向端部同士を連結するものであって板材同士を長手方向軸周りに直交させかつ板材の長手方向軸同士を直交させるものであり、長手方向軸周り垂直又は長手方向軸周り水平で左右に延びる板材の少なくとも一端に、直角連結材を挟んで上方又は下方に延びる板材を取り付けてあって、長手方向軸周り垂直な板材が寄り掛かり面になり、長手方向軸周り水平な板材が座面又は荷物置きになることを特徴とする。ここで板材とは、長尺の部材であれば中空の部材でも中実の部材でもよい。また、少なくとも一面が略平面であればよく、短手方向断面が半円形状のものなども含む。そして、長手方向軸周り垂直及び長手方向軸周り水平とは、その平面が垂直及び水平であることをいう。
【０００６】
本発明のうち請求項２の発明は、複数枚の板材と、平行連結材とを備え、平行連結材が、板材の長手方向端部同士を連結するものであって板材同士を長手方向軸周りに直交させかつ板材の長手方向軸同士を平行にさせるものであり、長手方向軸周り垂直な板材と、長手方向軸周り水平な板材が、平行連結材を挟んで左右に連設してあって、長手方向軸周り垂直な板材が寄り掛かり面になり、長手方向軸周り水平な板材が座面又は荷物置きになることを特徴とする。ここで板材は、二枚以上何枚連設してあってもよい。また、長手方向軸同士の「平行」には、長手方向軸同士が同一直線上に位置する場合も含む。
【０００７】
本発明のうち請求項３の発明は、直角連結材を備え、直角連結材が、板材の長手方向端部同士を連結するものであって板材同士を長手方向軸周りに直交させかつ板材の長手方向軸同士を直交させるものであり、左右に連設した板材の少なくとも一端に、直角連結材を挟んで上方又は下方に延びる板材を取り付けてあることを特徴とする。
【０００８】
本発明のうち請求項４の発明は、直角連結材が、両端に板材と接続する接続部を有し、一方の接続部から他方の接続部へ向けて、見付方向面内で屈曲しており、見込方向寸法が拡幅し、見付方向寸法が減幅していることを特徴とする。ここで、見付方向寸法とは、接続部に接続する板材の長手方向に直交する方向の寸法のことであり、直角連結材は、見付方向面内で屈曲しつつ減幅する形状となる。また、拡幅及び減幅には、曲線状や直線状で連続的に変化する場合と、階段状などで不連続的に変化する場合の両方を含み、また変化率も、一方から他方へ緩やかに変化する場合から、その途中で急激に変化する場合まで、あらゆる場合を含む。
【０００９】
本発明のうち請求項５の発明は、平行連結材が、両端に板材と接続する接続部を有し、一方の接続部から他方の接続部へ向けて、見込方向寸法が拡幅し、見付方向寸法が減幅していることを特徴とする。ここで、拡幅及び減幅には、曲線状や直線状で連続的に変化する場合と、階段状などで不連続的に変化する場合の両方を含み、また変化率も、一方から他方へ緩やかに変化する場合から、その途中で急激に変化する場合まで、あらゆる場合を含む。
【００１０】
また、請求項２，３，５記載の構造体は、平行連結材が、連結する板材同士の高さを異ならせるものであってもよい。このようにすると、長手方向軸周り垂直な板材と長手方向軸周り水平な板材の高さの組み合わせを様々に変化させることで、体格の違うあらゆる使用者にとって使い勝手のよいものを提供できる。また、連設した板材の高さを段々に変化させることで、寄り掛かる人の体格の違いに対応できる。
【００１１】
さらに、請求項１乃至５及び前段落に記載の構造体は、左右に延びる板材が前後に二枚並列しているものであってもよい。このようにすると、前後の板材が何れも長手方向軸周り垂直であれば、前後両側から体を寄り掛ける人がいる場合でも、互いに干渉することなく使用できる。また、前後の板材が何れも長手方向軸周り水平であれば、座面又は荷物置きとして広い面を使用できる。
【００１２】
また、前段落に記載の構造体は、前後で隣接する板材同士のうち、少なくとも一組の板材同士の高さが異なっているものであってもよい。ここで、少なくとも一組の板材同士の高さが異なる場合には、構造体を構成する板材が前後に一組しかない場合であって、その板材同士の高さが異なる場合も含む。このようにすると、高さの異なる板材により、寄り掛かる人の体格の違いに対応できる。また、低い板材に腰掛け、高い板材を背もたれにするという使い方もできる。
【００１３】
さらに、前二段落に記載の構造体は、前後で隣接する板材は、一方が長手方向軸周り垂直で、他方が長手方向軸周り水平であるものであってもよい。このようにすると、垂直面に体を寄り掛けつつ、水平面に荷物を置くという使い方ができる。そして特に板材が左右に連設してある場合、前側から寄り掛かる人と、後側から寄り掛かる人とが左右に分かれるので、使用者同士が背中合わせにならず、より快適に使用できる。
【００１４】
また、請求項１乃至５及び前四段落に記載の構造体は、左右に延びる板材の少なくとも一端に、上方又は下方に延びる板材を取り付けてあり、上方又は下方に延びる板材の端部が壁面に固定してあるものであってもよい。このようにすると、壁面に設けられた他の構造物などを回避して、構造体を取り付けることができる。また、上方又は下方に延びる板材が外観上のアクセントとなり、意匠性が良好である。
【発明の効果】
【００１５】
本発明のうち請求項１の発明によれば、左右に延びる板材が長手方向軸周り垂直であれば、広い面積の垂直面に体を寄り掛けることで、体を安定して支持することができる。また、広い面積で支持するので体が痛くなることもない。一方、左右に延びる板材が長手方向軸周り水平であれば、広い面積の水平面に腰掛けたり、荷物を置いたりすることができる。そして、左右に延びる板材と上方又は下方に延びる板材とが直交していることで、従来にない意匠性が得られる。
【００１６】
本発明のうち請求項２の発明によれば、長手方向軸周り垂直な板材に体を寄り掛けることで、体を安定して支持することができ、広い面積で支持するので体が痛くなることもない。また、長手方向軸周り水平な板材には、腰掛けたり、荷物を置いたりすることができる。このように、寄り掛かり面と、座面又は荷物置きとが一体となっているので使い勝手がよい。そして、板材が長手方向軸周りに直交して連設してあることで、従来にない意匠性が得られる。
【００１７】
本発明のうち請求項３の発明によれば、請求項２の発明と同様に、寄り掛かり面と、座面又は荷物置きとが一体となっているので使い勝手がよい。そして、左右に延びる板材同士、及び左右に延びる板材と上方又は下方に延びる板材とがそれぞれ直交していることで、従来にない意匠性が得られるものであって、板材と、直角連結材及び平行連結材を自由に組み合わせて、種々の形状の構造体を構成することができる。
【００１８】
本発明のうち請求項４及び請求項５の発明によれば、直角連結材又は平行連結材と、これが連結する二本の板材とが外観上一体的になり、意匠性が良好である。
【図面の簡単な説明】
【００１９】
【図１】本発明の構造体の第一実施形態の斜視図である。
【図２】第一実施形態の三面図であり、（ａ）は平面図、（ｂ）は正面図、（ｃ）は側面図である。
【図３】板材の短手方向断面図である。
【図４】直角連結材を示し、（ａ）は斜視図、（ｂ）は平面図、（ｃ）は正面図、（ｄ）は側面図である。
【図５】第二実施形態の斜視図である。
【図６】第三実施形態の斜視図である。
【図７】第三実施形態の三面図であり、（ａ）は平面図、（ｂ）は正面図、（ｃ）は側面図である。
【図８】平行連結材を示し、（ａ）は斜視図、（ｂ）は平面図、（ｃ）は正面図、（ｄ）は側面図である。
【図９】第四実施形態の斜視図であり、（ａ）は補助板材がない場合、（ｂ）は補助板材がある場合である。
【図１０】第四実施形態の三面図であり、（ａ）は平面図、（ｂ）は正面図、（ｃ）は側面図である。
【図１１】第五実施形態の斜視図である。
【図１２】第六実施形態の斜視図である。
【図１３】第七実施形態の斜視図である。
【図１４】第八実施形態を示し、（ａ）は斜視図、（ｂ）は部分平面図、（ｃ）は部分正面図である。
【図１５】第九実施形態を示し、（ａ）は斜視図、（ｂ）は部分平面図、（ｃ）は部分正面図である。
【発明を実施するための形態】
【００２０】
以下、本発明の実施の形態を図面に基づいて説明する。この構造体の第一実施形態は、図１及び図２に示すように、長尺の板材１（１ｖ，１ｄ）と、直角連結材２とを備えるものであり、長手方向軸周り垂直で左右に延びる板材１ｖの両端に、直角連結材２を挟んで下方に延びる板材１ｄを取り付けてあって、下方に延びる板材１ｄの下端は地面Ｇに固定してある。板材１は、中空のものであって、短手方向断面形状が、図３に示すように略長方形状である。なお、断面において一方の長辺の両端を肉厚にして段部１１を形成してある。また、直角連結材２は、図４に示すように、両端から略長方形状の接続部２１ａ，２１ｂが突出しており、この接続部２１ａ，２１ｂを中空の板材の端部に挿入してボルト止めすることで、板材と直角連結材２とを接続する。二つの接続部のうち、一方の接続部２１ａは水平向きに突出していて、上下に長い長方形状であり、他方の接続部２１ｂは下向きに突出していて、前後に長い長方形状である。そして、直角連結材２は、一方の接続部２１ａから他方の接続部２１ｂへ向けて、見付方向面内で略円弧状に屈曲し、かつ見込方向（前後方向）寸法が緩やかに拡幅し、見付方向寸法が緩やかに減幅しているものであって、断面形状は、上下に長い長方形状から、長辺が短く、短辺が長くなって、前後に長い長方形状へと変形している。ここで、見付方向寸法とは、接続部２１ａ，２１ｂに接続する板材の長手方向に直交する方向の寸法のことであり、直角連結材２は、見付方向面内で屈曲しつつ減幅する形状となっている。このような直角連結材２により二枚の板材を連結することで、板材同士を長手方向軸周りに直交させ、かつ板材の長手方向軸同士を直交させる。さらに、板材の見込面同士及び見付面同士をそれぞれ連続曲面で繋ぎ、二枚の板材及び直角連結材２が外観上一体的になる。なお、以下の実施形態において用いる板材及び直角連結材は、特に断らない限り、すべてこの第一実施形態のものと同一のものである。
【００２１】
このように構成した構造体の第一実施形態は、使用者Ｐが左右に延びる板材１ｖの広い面積の垂直面に体を寄り掛けることで、体を安定して支持させることができる。また、広い面積で支持するので体が痛くなることもない。そして、板材１ｖの断面形状が略長方形状で前後両面に垂直面を有するから、使用者Ｐは前後のどちら側からでも体を寄り掛けることができる。さらに、地面Ｇに固定した下方に延びる板材１ｄが、使用者Ｐが体を寄り掛けた際に荷重がかかる方向（前後方向）に長い向きとなっているので、より確実に荷重を支えることができる。そして、左右に延びる板材１ｖと下方に延びる板材１ｄとが直交していることで、従来にない意匠性が得られ、また板材１ｖ，１ｄ同士が直角連結材２によって外観上一体的に連結されているから、意匠性が良好である。加えて、直角連結材２が一方から他方に向けて略円弧状に屈曲し、かつ緩やかに拡幅及び減幅しているので、使用者の衣服が引っ掛かったり、使用者を傷つけたりすることがなく、安全に使用できる。
【００２２】
なお、左右に延びる板材を長手方向軸周り水平にしてもよく、その際には直角連結材を前後方向軸周りに９０度回転させて使用すればよい。この場合、広い面積の水平面に腰掛けたり、荷物を置いたりすることができる。また、板材１の段部１１（図３）を有する面を上側面とすることで、板材１の上に置いた物が段部１１に係止して落ちにくくなる。さらに、左右に延びる板材の端部に連結した板材の少なくとも一方が上方に延びていてもよく、この場合上方に延びる板材の上端は壁面に固定する。
【００２３】
本発明の構造体の第二実施形態は、図５に示すように、第一実施形態の構造体二つを前後に並列させたものである。ただし、前後で下方に延びる板材１ｄの長さが異なり、左右に延びる二枚の板材１ｖの高さが異なっており、前側が低く、後側が高くなっている。
【００２４】
このように構成した構造体の第二実施形態は、前後両側から体を寄り掛ける人がいる場合でも、互いに干渉することなく使用できる。また、高さの異なる板材１ｖにより、寄り掛かる人の体格の違いに対応できる。
【００２５】
なお、左右に延びる二枚の板材が何れも長手方向軸周り水平で同じ高さであれば、座面又は荷物置きとして広い面を使用できる。また、一方が垂直で他方が水平であれば、垂直面に体を寄り掛けつつ、水平面に荷物を置くといった使い方もできる。さらに、水平な板材を低く、垂直な板材を高くすれば、水平な板材に腰掛け、垂直な板材を背もたれにするという使い方もできる。
【００２６】
本発明の構造体の第三実施形態は、図６及び図７に示すように、板材１（１ｖ，１ｈ，１ｄ，１ｕ）と、直角連結材２と、平行連結材３と、屈曲材５とを備えるものであり、長手方向軸周り垂直で左右に延びる板材１ｖの左端に、直角連結材２を挟んで下方に延びる板材１ｄを取り付けてあり、右端に、平行連結材３を挟んで長手方向軸周り水平で左右に延びる板材１ｈを連設してあり、この水平な板材１ｈの右端に、直角連結材２を挟んで上方に延びる板材１ｕを取り付けてあり、さらに上方に延びる板材１ｕの上端に後側へ屈曲する屈曲材５を取り付けてある。そして、下方に延びる板材１ｄの下端は地面Ｇに固定してあり、屈曲材５の先端は壁面Ｗに固定してある。平行連結材３は、図８に示すように、両端から略長方形状の接続部３１ａ，３１ｂが突出しており、この接続部３１ａ，３１ｂを中空の板材の端部に挿入してボルト止めすることで、板材と平行連結材３とを接続する。二つの接続部のうち、一方の接続部３１ａは左向きに突出していて、上下に長い長方形状であり、他方の接続部３１ｂは右向きに突出していて、前後に長い長方形状である。そして、他方の接続部３１ｂは一方の接続部３１ａよりも低い位置にあり、平行連結材３は、一方の接続部３１ａから他方の接続部３１ｂへ向けて、見込方向（前後方向）寸法が緩やかに拡幅し、見付方向（上下方向）寸法が緩やかに減幅しているものであって、断面形状は、上下に長い長方形状から、長辺が短く、短辺が長くなって、前後に長い長方形状へと変形している。このような平行連結材３により二枚の板材を連結することで、板材同士を長手方向軸周りに直交させ、かつ板材の長手方向軸同士を平行にさせ、特に本実施形態では垂直な板材１ｖに対して水平な板材１ｈを低くしている。さらに、板材の見込面同士及び見付面同士をそれぞれ連続曲面で繋ぎ、二枚の板材及び平行連結材３が外観上一体的になる。また、屈曲材５は、板材を略円弧状に９０度屈曲させた形状で、直角連結材や平行連結材と同様の接続部（図示省略）を有しており、板材の端部に取り付けることができる。なお、以下の実施形態において用いる平行連結材及び屈曲材は、特に断らない限り、すべてこの第三実施形態のものと同一のものである。
【００２７】
このように構成した構造体の第三実施形態は、使用者Ｐが長手方向軸周り垂直な板材１ｖに体を寄り掛けることで、体を安定して支持させることができ、広い面積で支持するので体が痛くなることもない。また、長手方向軸周り水平な板材１ｈには、腰掛けたり、鞄Ｂや飲料カップＣといった荷物を置いたりすることができる。このように、寄り掛かり面と、座面又は荷物置きとが一体となっているので使い勝手がよい。そして、板材１ｖ，１ｈが長手方向軸周りに直交して連設してあることで、従来にない意匠性が得られ、また板材１ｖ，１ｈ，１ｄ，１ｕ同士が直角連結材２及び平行連結材３によって外観上一体的に連結されているから、意匠性が良好である。加えて、直角連結材２が一方から他方に向けて略円弧状に屈曲し、かつ緩やかに拡幅及び減幅しており、さらに平行連結材３が一方から他方に向けて緩やかに拡幅及び減幅しているので、使用者の衣服が引っ掛かったり、使用者を傷つけたりすることがなく、安全に使用できる。また、左右に延びる板材１ｈの端部から板材１ｕが上方に延び、この板材１ｕの上端を屈曲材５により壁面Ｗに固定してあるので、壁面Ｗに設けられた他の構造物などを回避して、この構造体を設置することができる。さらに、上方に延びる板材１ｕが外観上のアクセントとなり、この点においても意匠性が良好である。なお、本実施形態では長手方向軸周り垂直な板材１ｖより長手方向軸周り水平な板材１ｈが低くなっているが、平行連結材３を上下逆さまに用いれば、垂直な板材１ｖより水平な板材１ｈを高くすることも可能であり、そのような種々の組み合わせの構造体を提供することで、体格の違う使用者にも対応できる。また、左右に延びる板材の端部に下方に延びる板材を取り付け、下方に延びる板材の端部を屈曲材により壁面に固定してもよい。
【００２８】
本発明の構造体の第四実施形態は、図９（ａ）及び図１０に示すように、板材１（１ｖ，１ｈ，１ｄ）と、直角連結材２と、平行連結材３と、屈曲材５とを備えるものであり、長手方向軸周り水平で左右に延びる前後二枚の板材１ｈのそれぞれの左端に、直角連結材２を挟んで下方に延びる板材１ｄを取り付けてあり、それぞれの右端に、平行連結材３を挟んで長手方向軸周り垂直で左右に延びる板材１ｖを連設してあり、この垂直な板材１ｖのそれぞれの右端に、直角連結材２を挟んで下方に延びる板材１ｄを取り付けてある。また、前後の平行連結材３の間には屈曲材５を設けてあり、屈曲材５には下方に延びる板材１ｄを取り付けてある。ここで、前後二枚の水平な板材１ｈは同じ高さであって、前後の平行連結材３は上下逆さまに取り付けてあり、前側の垂直な板材１ｖは水平な板材１ｈより低く、後側の垂直な板材１ｖは水平な板材１ｈよりも高い。そして、下方に延びる板材１ｄの下端は地面Ｇに固定してある。なお、屈曲材５は、平行連結材３にボルト止め又は溶接で固定してある。
【００２９】
このように構成した構造体の第四実施形態は、長手方向水平な板材１ｈ部分について、腰掛けるための座面又は鞄Ｂや飲料カップＣといった荷物を置くための荷物置きとして前後に広い面を使用できる。また、長手方向軸周り垂直な板材１ｖ部分について、前後両側から体を寄り掛ける使用者Ｐがいる場合でも、互いに干渉することなく使用できる。さらに、垂直な板材１ｖの高さが前後で異なっているから、寄り掛かる人の体格の違いに対応できる。
【００３０】
なお、本実施形態において、図９（ｂ）に示すように、前後の水平な板材１ｈ同士の間に、同一形状の補助板材４を設けることもできる。補助板材４の右端は、屈曲材５に接続してある。そして、補助板材４は、前後の水平な板材１ｈにボルト止め又は溶接で固定してある。このように構成することで、外観上の一体性を維持したまま、座面又は荷物置きをより広くして、使い勝手を向上させることができる。なお、補助板材４は、前後の水平な板材１ｈに固定せず、左端に屈曲材５又は直角連結材２を挟んで下方に延びる板材１ｄを取り付けて地面Ｇに固定してもよい。
【００３１】
本発明の構造体の第五実施形態は、図１１に示すように、板材１（１ｖ，１ｈ，１ｄ）と、直角連結材２と、平行連結材３とを備えるものであり、長手方向軸周り水平で左右に延びる板材１ｈの左端に、直角連結材２を挟んで下方に延びる板材１ｄを取り付けてあり、右端に、平行連結材３を挟んで長手方向軸周り垂直で左右に延びる板材１ｖを連設してあり、この垂直な板材１ｖの右端に、直角連結材２を挟んで下方に延びる板材１ｄを取り付けたものと、これと同一で垂直軸周りに１８０度反転させたものとを前後に並列してある。すなわち、垂直な板材１ｖと、水平な板材１ｈとが前後で互い違いになっている。そして、垂直な板材１ｖは水平な板材１ｈよりも高く、また、下方に延びる板材１ｄの下端は地面Ｇに固定してある。
【００３２】
このように構成した構造体の第五実施形態は、体を寄り掛けるための垂直な板材１ｖが前側においては右側に、後側においては左側に位置しているおり、前側から寄り掛かる人と、後側から寄り掛かる人とが左右に分かれるので、使用者同士が背中合わせにならず、より快適に使用できる。
【００３３】
本発明の構造体の第六実施形態は、図１２に示すように、五本の板材１を四つの平行連結材３により連結して、両端に屈曲材５を取り付けて壁面Ｗに固定したものであって、両端の板材１に対してその内側の板材１の高さは低く、中央の板材１の高さはさらに低くなっている。このように構成することで、一列の板材１であっても寄り掛かる人の体格の違いに対応できる。
【００３４】
本発明の構造体の第七実施形態は、図１３に示すように、三本の板材１を二つの平行連結材３により連結して、両端に屈曲材５を取り付けて壁面Ｗに固定したものであって、各板材１に照明６を埋め込んだものである。照明６はＬＥＤや蛍光灯などどのようなものであってもよく、壁面Ｗから、中空の屈曲材５、板材１及び平行連結材３を通して電源を供給できる。このように構成することで、休憩用に用いられる本発明の構造体を、照明装置として兼用することができる。
【００３５】
本発明の構造体の第八実施形態は、図４に示した直角連結材とは異なる形状の直角連結材を備えるものである。第八実施形態の全体構成は、第一実施形態と同様であって、図１４（ａ）に示すように、板材１（１ｖ，１ｄ）と、直角連結材２ａとを備えるものであり、長手方向軸周り垂直で左右に延びる板材１ｖの両端に、直角連結材２ａを挟んで下方に延びる板材１ｄを取り付けてあって、下方に延びる板材１ｄの下端は地面Ｇに固定してある。そして直角連結材２ａは、図１４（ｂ）、（ｃ）に示すように、右端から左端へ向けて、見付方向面内で略円弧状に屈曲し、かつ見込方向（前後方向）寸法が緩やかに拡幅し、見付方向寸法が緩やかに減幅しているものであって、断面形状は、長方形状を維持しつつ９０度回転している。ここで、見付方向寸法とは、接続部に接続する板材の長手方向に直交する方向の寸法のことであり、直角連結材２ａは、見付方向面内で屈曲しつつ減幅する形状となっている。このような直角連結材２ａも、図４に示した直角連結材と同様に、二枚の板材同士を長手方向軸周りに直交させ、かつ板材の長手方向軸同士を直交させる。さらに、一方の板材の見込面と他方の板材の見付面及び一方の板材の見付面と他方の板材の見込面をそれぞれ連続曲面で繋ぎ、二枚の板材及び直角連結材２ａが外観上一体的になる。そして、この直角連結材２ａを備える構造体は、図４に示した直角連結材を備える構造体と同様の機能を有する。
【００３６】
本発明の構造体の第九実施形態は、図８に示した平行連結材とは異なる形状の平行連結材を備えるものである。第九実施形態の全体構成は、図１５（ａ）に示すように、板材１（１ｖ，１ｈ，１ｄ）と、直角連結材２ａと、平行連結材３ａとを備えるものであり、長手方向軸周り垂直で左右に延びる板材１ｖの左端に、直角連結材２ａを挟んで下方に延びる板材１ｄを取り付けてあり、右端に、平行連結材３ａを挟んで長手方向軸周り水平で左右に延びる板材１ｈを連設してあり、この水平な板材１ｈの右端に、直角連結材２ａを挟んで下方に延びる板材１ｄを取り付けてあって、下方に延びる板材１ｄの下端は地面Ｇに固定してある。そして平行連結材３ａは、図１５（ｂ）、（ｃ）に示すように、左端から右端へ向けて、見込方向（前後方向）寸法が緩やかに拡幅し、見付方向（上下方向）寸法が緩やかに減幅しているものであって、断面形状は、長方形状を維持しつつ９０度回転している。このような平行連結材３ａも、図８に示した平行連結材と同様に、二枚の板材同士を長手方向軸周りに直交させ、かつ板材の長手方向軸同士を平行にさせる（本実施形態では同一直線上に位置させる）。さらに、一方の板材の見込面と他方の板材の見付面及び一方の板材の見付面と他方の板材の見込面をそれぞれ連続曲面で繋ぎ、二枚の板材及び平行連結材３ａが外観上一体的になる。そして、この平行連結材３ａを備える構造体は、図８に示した平行連結材を備える構造体と同様の機能を有する。
【００３７】
本発明は、上記の実施形態に限定されるものではなく、板材と、直角連結材、平行連結材及び屈曲材を自由に組み合わせて、種々の形状の構造体を構成することができる。そして、板材は少なくとも一面が略平面であればよく、たとえば短手方向断面が半円形状のものなどでもよい。また、構造体の端部は、地面や壁面のほか、天井に固定してあってもよい。さらに、本発明の各部を構成する素材は、使用者が寄り掛かった際の荷重を支えることができるものであればよく、意匠性も考慮して、金属、木材、樹脂などから自由に選択できる。なお、本発明の構造体は必ずしも休憩のために使用するものでなくてもよく、たとえば境界を仕切るフェンスとして使用してもよい。
【符号の説明】
【００３８】
１，１ｖ，１ｈ，１ｄ，１ｕ  板材
２，２ａ  直角連結材
３，３ａ  平行連結材
２１ａ，２１ｂ，３１ａ，３１ｂ  接続部
【図１】
0005702994.tif 000002
【図２】
0005702994.tif 000003
【図３】
0005702994.tif 000004
【図４】
0005702994.tif 000005
【図５】
0005702994.tif 000006
【図６】
0005702994.tif 000007
【図７】
0005702994.tif 000008
【図８】
0005702994.tif 000009
【図９】
0005702994.tif 000010
【図１０】
0005702994.tif 000011
【図１１】
0005702994.tif 000012
【図１２】
0005702994.tif 000013
【図１３】
0005702994.tif 000014
【図１４】
0005702994.tif 000015
【図１５】
0005702994.tif 000016